(57)【要約】【課題】電気掃除機の蓋体が不用意に開いて、内部の塵埃が散乱すること。【解決手段】塵埃を遠心分離する遠心分離室４５と、塵埃を捕集する粗塵室４３、細塵室４７を有するダストボックス本体４０と、ダストボックス本体４０の前部を覆う前部カバー９０と、ダストボックス本体４０の上部を覆う上部カバー９１と、粗塵室４３、細塵室４７に設けた塵埃廃棄用の開口部４３ｂ、４７ｂを開閉自在に閉鎖する蓋体４８と、蓋体４８を閉状態に保持するオシレバー５０と、昇降自在で取り出し、持ち運び用のダストボックスハンドル２０とを備え、オシレバー（図示せず）を介して蓋体４８を開操作する操作部５１をダストボックスハンドル２０内に設けたもので、集塵容器４を掃除機本体１より取り出す時ダストボックスハンドル２０を摘まみ、昇状態とするため、操作部５１に触れる事が無く蓋体４８が開いてごみが散乱することを防止するものである。【選択図】図４
2006061544.tif 000002
【特許請求の範囲】
【請求項１】
塵埃を捕集する集塵部を有するダストボックス本体と、前記集塵部に設けた塵埃廃棄用の開口部を開閉自在に閉鎖する蓋体と、前記蓋体を閉状態に保持するオシレバーと、昇降自在に構成された取り出し、持ち運び用のハンドルとを備え、前記オシレバーを介して前記蓋体を開状態にする操作部を前記ハンドルに設けた集塵容器。
【請求項２】
ハンドルを昇状態としたときに、操作部の開操作により蓋体を開くことができる構成とした請求項１に記載の集塵容器。
【請求項３】
ハンドルに、操作部を一方向に附勢するコイルバネと、前記操作部により加わる負荷の方向を反転する反転板と、前記反転板に連結された連結棒Ａとを配し、ダストボックス本体に、前記連結棒Ａに連結された連結軸と、前記連結軸を一方向に附勢するキックバネと、前記連結軸に連結されオシレバーを回動する連結棒Ｂとを配し、前記操作部を下方に移動させた時に蓋体を開くようにした請求項１又は２に記載の集塵容器。
【請求項４】
コイルバネを、操作部と反転板との間で、かつ前記反転板の回動軸芯より変位させた位置に配した請求項３に記載の集塵容器。
【請求項５】
連結棒Ｂのオシレバー側端部を逆クサビ形状に形成すると共に、オシレバーと前部カバーで挟持した請求項３又は４に記載の集塵容器。
【請求項６】
連結軸に２つのアームを設け、連結棒Ａに係止する一方のアームの長さを、連結棒Ｂに係止する他方のアームの長さより短くした請求項３〜５のいずれか１項に記載の集塵容器。
【請求項７】
ダストボックス本体の外周面より上方に傾斜した複数の突出リブを設け、前記突出リブで上部カバーの下端部を係止した請求項１〜６のいずれか１項に記載の集塵容器。
【請求項８】
請求項１〜７のいずれか１項に記載の集塵容器を備えた電気掃除機。
【発明の詳細な説明】
【技術分野】
【０００１】
本発明は電気掃除機本体に装着される集塵容器並びにこの集塵容器を有する電気掃除機に関するものである。
【背景技術】
【０００２】
従来の集塵容器を備えた電気掃除機は、サイクロン集塵部に流入する塵埃を含んだ空気は、円筒状に構成したサイクロン集塵部に円周接線方向に導入され、サイクロン集塵部の内壁を沿うように旋回し、塵埃を集塵部に蓄積するもので、粗塵は集塵容器に蓄積され、細塵は、集塵容器上部に設けたフィルターに蓄積されるものであった（例えば、特許文献１、特許文献２参照）。
【特許文献１】特開２００３−２４２５０号公報
【特許文献２】特開２０００−３４２４９２号公報
【発明の開示】
【発明が解決しようとする課題】
【０００３】
このような電気掃除機にあっては、ごみ捨て時に集塵容器を掃除機本体より取り外して、集塵部の蓋を開いてごみを捨てるが、集塵容器で、蓋開閉用の操作部が把手部近傍にある場合、誤って操作部を押さえながら集塵容器を取り外すと蓋が開いてごみが散乱するなどの課題があった。
【０００４】
本発明は上記従来の課題を解決しようとするものであって、集塵容器を取り外す時、誤って操作部に触れないように、叉は、触れても蓋が開かないようにすることを目的としている。
【課題を解決するための手段】
【０００５】
上記従来の課題を解決するために、本発明の集塵容器は、塵埃を捕集する集塵部を有するダストボックス本体と、前記集塵部に設けた塵埃廃棄用の開口部を開閉自在に閉鎖する蓋体と、前記蓋体を閉状態に保持するオシレバーと、昇降自在に構成された取り出し、持ち運び用のハンドルとを備え、前記オシレバーを介して前記蓋体を開状態にする操作部を前記ハンドルに設けたもので、集塵容器を掃除機本体より取り出す時ハンドルを摘まみ、昇状態とするため、操作部に触れる事が無く不用意に蓋体が開いてごみが散乱することを防止するものである。
【０００６】
また、本発明の電気掃除機は、請求項１〜９のいずれか１項に記載の集塵容器を備えたもので、集塵容器に設けた昇降自在のハンドルにより、掃除機本体より集塵容器の着脱を容易にするとともにごみ捨てを容易にする電気掃除機を提供する事が出来る。
【発明の効果】
【０００７】
本発明は、集塵容器の取り外し時に操作部に触れないため、蓋体が開いてごみが散乱することを防止し、ごみ捨てを容易にした集塵容器を提供する事が出来る。
【発明を実施するための最良の形態】
【０００８】
第１の発明は、塵埃を捕集する集塵部を有するダストボックス本体と、前記集塵部に設けた塵埃廃棄用の開口部を開閉自在に閉鎖する蓋体と、前記蓋体を閉状態に保持するオシレバーと、昇降自在に構成された取り出し、持ち運び用のハンドルとを備え、前記オシレバーを介して前記蓋体を開状態にする操作部を前記ハンドル内に設けたもので、集塵容器を掃除機本体より取り出す時ハンドルを摘まみ、昇状態とするため、操作部に触れる事が無く不用意に蓋体が開いてごみが散乱することを防止するものである。
【０００９】
第２の発明は、特に、第１の発明のハンドルを昇状態としたときに、操作部の開操作により蓋体を開くことができるようにしたもので、集塵容器を掃除機本体より取り出した後、蓋体を開こうとする意識のもと、操作部に触れて誤って蓋体を開き、ごみが散乱することを防止出来るものである。
【００１０】
第３の発明は、特に、第１又は第２の発明のハンドルに、操作部を一方向に附勢するコイルバネと、前記操作部により加わる負荷の方向を反転する反転板と、前記反転板に連結された連結棒Ａとを配し、ダストボックス本体に、前記連結棒Ａに連結された連結軸と、前記連結軸を一方向に附勢するキックバネと、前記連結軸に連結されオシレバーを回動する連結棒Ｂを配し、前記操作部を下方に移動させた時に蓋体を開くようにしたもので、反転板により操作部の負荷方向を反転させるので、開操作を容易にするものである。
【００１１】
第４の発明は、特に、第３の発明のコイルバネを、操作部と反転板との間で、かつ前記反転板の回動軸芯より変位させた位置に配したもので、コイルバネの反発力により操作部の位置附勢及び反転板の回動附勢を同時に行ない、部品点数を削減するものである。
【００１２】
第５の発明は、特に、第３又は第４の発明の連結棒Ｂのオシレバー側端部を逆クサビ形状に形成すると共に、オシレバーと前部カバーで挟持するもので、バネ等の附勢力を用いないでオシレバーを所定の位置に戻す事が出来るものである。
【００１３】
第６の発明は、特に、第３〜５のいずれか１つの発明の連結軸に２つのアームを設け、連結棒Ａに係止する一方のアームの長さを、連結棒Ｂに係止する他方のアームの長さより短くしたもので、オシレバーの移動距離を確保し操作力を軽減するもので、使用性が向上するものである。
【００１４】
第７の発明は、特に、第１〜６のいずれか１つの発明のダストボックス本体の外周面より上方に傾斜した複数の突出リブを設け、前記突出リブで上部カバーの下端部を係止したもので、掃除機本体に装着する時、傾斜した突出リブにより上部カバーの端部の引掛りを防止し安定した装着が出来る。
【００１５】
第８の発明は、請求項１〜７のいずれか１項に記載の集塵容器を備えたもので、集塵容器に設けた昇降自在のハンドルにより、掃除機本体より集塵容器の着脱を容易にするとともにごみ捨てが容易な電気掃除機を提供する事が出来る。
【００１６】
（実施の形態１）
本発明の第１の実施の形態における集塵容器及びこれを搭載した電気掃除機について、図１〜図１２を用いて説明する。
【００１７】
図１〜図４は、本実施の形態における集塵容器を搭載した電気掃除機を示すものである。図において、掃除機本体１は、後部に電動送風機２を内蔵した電動送風機室３が配され、前部に、着脱自在で塵埃を分離捕集する集塵容器４を収納する集塵容器収納部５が配され、後方下部の両側に１対の走行用の車輪６が回転自在に取付けられ、底面前部には、同じく走行用のキャスター７が取付けられている。掃除機本体１の前部には、ホース８の一端に設けた接続パイプ９が着脱自在に接続される吸気口１０が設けられている。
【００１８】
ホース８の他端には、掃除の際に握る把手１１を備えた先端パイプ１２が設けられている。１３は伸縮自在或いは継ぎ自在の延長管で、下流側端部が前記先端パイプ１２に着脱自在に接続され、他端は、塵埃掻き揚げ用の回転ブラシ１４とその回転ブラシ１４を回転駆動するモータ１５を内蔵した吸込み具１６に着脱自在に接続される。
【００１９】
１７は、掃除機本体１の側面に設けられた開口部で、集塵容器収納部５に装着された集塵容器４の透明材料で成形された外郭側面が外から見えるように成っている。
【００２０】
１８は、弾性材料から成形され掃除機本体１の前部から両側にかけて延設されたバンパーで、掃除機本体１の走行時に家具、柱などに衝突してもそれらに傷を付けないようにするためのもので、また掃除機本体１に設けた開口部１７と対向する部分が図に示されるように、くりぬかれている。
【００２１】
１９は、掃除機本体１を持ち運ぶ際に立てて使用する本体ハンドルで、掃除機本体１の重心を通る垂直線上に回動中心が位置するように掃除機本体１の上部に回動自在に取付けられている。
【００２２】
２０は、集塵容器４の持ち運び用のダストボックスハンドルで、上端が集塵容器４に回動自在に軸支され、その前端は、通常図１に示すように集塵容器４に収納されているが、集塵容器４を持ち運ぶ時や、掃除機本体１の集塵容器収納部５から取り外す時に、前部を持上げると、前端が上方に飛び出し、ダストボックスハンドル２０が握れるようになる。
【００２３】
２１は、集塵容器４を掃除機本体１の集塵容器収納部５に収納した時に集塵容器４の前端を保持する尾錠で、尾錠バネ２１ａで後方側に付勢されている。
【００２４】
電動送風機２の前部は、弾性体よりなるサポート前２７で、後部は、同じく弾性材料からなるサポート後２８で、電動送風機室３内に支持されている。２９は、電動送風機室３と集塵容器収納部５とを仕切る隔壁で、略中央に電動送風機２の吸入開口２ａと連通する格子状の隔壁開口部３０が設けられ、その隔壁開口部３０は、集塵容器収納部５側から三次フィルター３１で覆われている。
【００２５】
次に、集塵容器４の構成について図４〜１２を用いて説明する。
【００２６】
図において、集塵容器４は、ダストボックス本体４０と、ダストボックス本体４０の後方開口部に着脱自在に装着されるフィルターユニット４１から構成されている。ダストボックス本体４０は、前部に前部カバー９０を、上部に上部カバー９１を備えている。
【００２７】
最初に、吸込み具１６から空気と共に吸引された塵埃の捕集構成について述べる。ダストボックス本体４０の前部に、集塵容器４を掃除機本体１の集塵容器収納部５に装着した時に、掃除機本体１の吸気口１０の後方に設けたパッキン３７に気密に圧接し連通する吸入口Ａ４２、尾錠２１が係合する尾錠凹部５２が設けられている。ダストボックス本体４０は、さらに、吸入口Ａ４２に直接連通すると共に粗塵を収納する粗塵室４３と、粗塵室４３と連通口Ａ４４を介して連通すると共に吸引風に含まれた細塵を遠心分離する遠心分離室４５と、遠心分離室４５の周壁の一部に設けた連通口Ｂ４６から落下する細塵を捕集する細塵室４７と、前記粗塵室４３と細塵室４７の夫々の開口部４３ｂ、４７ｂを覆うと共に後方端部がダストボックス本体４０に回動自在に軸支された蓋体４８を備えている。蓋体４８は、コイルバネ４９により開成方向に付勢されており、通常はダストボックス本体４０に設けたオシレバー５０で、その前部が閉じた状態に保持されており、ダストボックスハンドル２０の前部に設けた操作部５１を押すと、それに連結された反転板７６、連結棒Ａ７７、連結軸７８、連結棒Ｂ７９を介してオシレバー５０を外方に移動し、蓋体４８がコイルバネ４９の付勢力で開くようになっている。
【００２８】
図４（ｃ）に示すように、遠心分離室４５の前部断面形状は、天面が平坦なＤカット状に形成されている。これは、掃除機本体１の外郭の一部を成す集塵容器４の前部の表面を低く見せ、デザイン状のバリエーションを広げるためである。さらに連通口Ｂ４６の細塵室４７側には、筒状のリブ４５ｃが延設され、細塵室４７に流入した細塵が遠心分離室４５に逆流させないためのものである。
【００２９】
また、ダストボックス本体４０の粗塵室４３と細塵室４７を形成している部分は、半透明材料で形成され、外部から堆積した塵埃の量が判るようになっている。
【００３０】
フィルターユニット４１は、枠体５４と、プリーツ折りされ、そのプリーツ目を縦方向にして枠体５４に設けられた二次フィルター５５と、枠体５４の内側に橋渡し状に形成され二次フィルター５５をその折り目方向に直交する方向で保持するリブ体５６とで構成されている。フィルターユニット４１の枠体５４の下流側端部には全周に渡ってリップ５８が、一体叉は一体的に形成され、集塵容器４を集塵容器収納部５に装着した時に、そのリップ５８が掃除機本体１の隔壁２９の集塵容器収納部５側の面に圧接され、電動送風機２の運転時に外気が吸引されないようになっている。
【００３１】
フィルターユニット４１の前面５９は、二次フィルター５５の上流側を覆うと共にフィルターユニット４１をダストボックス本体４０に装着した時に、粗塵室４３、遠心分離室４５、細塵室４７の夫々の後方開口部４３ａ、４５ａ、４７ａを気密に覆うようになっている。さらにフィルターユニット４１の前面５９の、前記後方開口部４３ａ、４５ａ、４７ａの夫々に対応する位置に開口Ａ６０、開口Ｂ６１、開口Ｃ６２が設けられ、かつ、各開口Ａ６０、開口Ｂ６１、開口Ｃ６２には一次フィルター６０ａ、６１ａ、６２ａが設けられて、フィルターユニット４１内に粗塵や、細塵が侵入するのを防止している。
【００３２】
上記構成による作用は以下の通りである。
【００３３】
電気掃除機の運転を開始すると、電動送風機２による吸引力が、開口Ａ６０、開口Ｂ６１、開口Ｃ６２、一次フィルター６０ａ、６１ａ、６２ａを経て、粗塵室４３、遠心分離室４５、細塵室４７に及び、ホース８、延長管１３を経て吸込み具１６に至る。そして、吸込み具１６から吸引された塵埃を含んだ空気が、掃除機本体１の吸気口１０を通ってダストボックス本体４０の吸入口Ａ４２から粗塵室４３に入り、一次フィルター６０ａに当たりそこで捕集され、堆積していく。
【００３４】
電動送風機２による吸引力は、遠心分離室４５にも作用しているので、粗塵室４３で粗塵が除去された空気の一部は、吸入口Ａ４２側に位置する連通口Ａ４４を通って、遠心分離室４５に流入する。ここで、空気は、一次フィルター６１ａの表面に沿ってかつその接線方向から遠心分離室４５に流入するようにしており、塵埃の遠心分離が効果的に行なえると共に、一次フィルター６１ａに塵埃が付着し難くなり、塵埃による目詰まりが起き難いので、一次フィルター６１ａでの空気圧損の低下を抑制する事ができる。遠心分離室４５で遠心分離された細塵は、遠心分離室４５の周壁の一部に設けた連通口Ｂ４６から細塵室４７に落下する。
【００３５】
集塵容器４を集塵容器収納部５から取り外す時は、尾錠２１を前部に指で移動させると、尾錠２１の先端が、ダストボックス本体４０の前部に設けた尾錠凹部５２から外れるので、ダストボックスハンドル２０を握って集塵容器４を上方に持上げるだけで良い。
【００３６】
図６において、９３は、ダストボックス本体４０の外周面より上方に傾斜した複数の突出リブで、この突出リブ８３で上部カバー９１の下端部を係止するようにしている。
【００３７】
次に集塵容器４のダストボックスハンドル２０の構成及び蓋体４８の開成操作について、図１０〜１２を用いて説明する。
【００３８】
図１０に示すように、ダストボックスハンドル２０は、その天面を形成すると共に、透明材料からなるハンドルカバー２０ｄと、非透明材料で形成されたハンドルアーム２０ｅからなり、ハンドルカバー２０ｄには複数の凸リブ２０ｆが設けられ、ハンドルアーム２０ｅには、ハンドルカバー２０ｄの複数の凸リブ２０ｆに対向する位置に複数の凹リブ２０ｇが設けられ、凸リブ２０ｆを凹リブ２０ｇに係止させることで、ハンドルカバー２０ｄとハンドルアーム２０ｅの組み立てが完了する。
【００３９】
図１１、１２は、ダストボックスハンドル２０に設けた操作部５１と蓋体４８との連結状態を示す図である。同図において、ダストボックスハンドル２０に設けた操作部５１は、上方にコイルバネ７５により上方に付勢されると共に、略中央部を支点に傾動自在に設けられた反転板７６の一端に接離するように配されている。７８は、連結軸でアーム７８ａ、７８ｂが一体的に設けられている。アーム７８ａの長さは、アーム７８ｂより短く設定している。
【００４０】
図１３（ａ）は、ダストボックスハンドル２０がダストボックス本体４０に収納された状態を示している。図１３（ｂ）に示すように、ダストボックスハンドル２０を起こすと、前記反転板７６の他端に連結された連結棒Ａ７７の下端がアーム７８ａに連結され、連結棒Ｂ７９の上端がアーム７８ｂに順に連結される。
【００４１】
連結棒Ｂ７９の下端には、オシレバー５０に当接する逆クサビ状の傾斜面７９ａが設けられ、その連結棒Ｂ７９の逆クサビ状の端部は、オシレバー５０と前部カバー９０とで挟持されている。
【００４２】
ここで、ダストボックスハンドル２０に設けた操作部５１を押すと、反転板７６の連結棒Ａ７７側端部が上に上がり、それにより連結棒Ａ７７が上り、アーム７８ａ、７８ｂが回動し、連結棒Ｂ７９が上に引き上げられ、連結棒Ｂ７９の下端に設けたクサビ状の傾斜面７９ａにより、オシレバー５０が時計方向に回動し、蓋体４８の係止を解除し、蓋体４８が、コイルバネ４９の付勢力で開成する。
【００４３】
上記構成により集塵容器４をごみ箱などの上に持ってきて、ダストボックスハンドル２０の先端に設けられた操作部５１を押すと、蓋体４８が開き、同時に粗塵室４３、細塵室４７内の塵埃がごみ箱内に落下する。
【００４４】
以上のように上記実施の形態によれば、オシレバー５０を介して蓋体４８を開操作する操作部５１をダストボックスハンドル２０内に設けたので、集塵容器４を掃除機本体１より取り出す時ダストボックスハンドル２０を摘まみ昇状態とするため、操作部５１に触れる事が無く不用意に蓋体４８が開いてごみが散乱することを防止することができる。
【００４５】
また、ダストボックスハンドル２０を昇状態とした時のみ、連結棒Ａ７７、アーム７８ａ、７８ｂ、連結棒Ｂ７９が連結され、蓋体４８を開くことができるようにしたので、集塵容器４を掃除機本体１より取り出した後、蓋体４８を開こうとする意識の基、操作部５１に触れるため誤って蓋体４８を開いてごみが散乱することを防止出来るものである。
【００４６】
又、反転板７６により操作部５１の負荷方向を反転させるので、開操作を容易にすることができる。
【００４７】
さらに、コイルバネ７５を、操作部５１と反転板７６との間で、かつ前記反転板７６の回動軸芯より変位させた位置に配したので、コイルバネ７５の反発力により操作部５１の位置附勢及び反転板７６の回動附勢を同時に行ない、部品点数を削減するものである。
【００４８】
また、連結棒Ｂ７９のオシレバー５０側端部を逆クサビ形状に形成すると共に、同端部をオシレバー５０と前部カバー９０で挟持するので、バネ等の附勢力を用いないでオシレバー５０を所定の位置に戻す事が出来るものである。
【００４９】
また、連結棒Ａ７７に係止するアーム７８ａの長さを、連結棒Ｂ７９に係止するアーム７８ｂの長さより短くしたので、オシレバー５０の移動距離を確保し操作力を軽減し、使用性が向上するものである。
【００５０】
また、ダストボックスハンドル２０を構成するハンドルカバー２０ｄとハンドルアーム２０ｅを、凹リブ２０ｇと凸リブ２０ｆとで係止するので、組立性が向上するものである。
【００５１】
また、ハンドルカバー２０ｄを透明材料で、ハンドルアーム２０ｅを非透明材料で夫々形成したので、デザイン性が向上するものである。
【００５２】
また、ダストボックス本体４０の外周面より上方に傾斜して設けた複数の突出リブ９３で上部カバー９１の下端部を係止したので、掃除機本体１に装着する時、傾斜した突出リブ９３により上部カバー９１の端部の引掛りを防止し安定した装着ができる。
【産業上の利用可能性】
【００５３】
以上のように、本発明にかかる集塵容器は、ごみ捨てが極めて容易で、ごみの不用意な散乱が無く、家庭用、業務用電気掃除機に広く適用できる。
【図面の簡単な説明】
【００５４】
【図１】本発明の実施の形態１における集塵容器を搭載した電気掃除機の全体図
【図２】同、電気掃除機の上面図
【図３】同、電気掃除機の断面図
【図４】（ａ）同集塵容器の側面図（ｂ）同集塵容器の上面図（ｃ）図４（ｂ）のＡ−Ａ断面図（ｄ）図４（ｂ）のＢ−Ｂ断面図
【図５】同集塵容器の正面図
【図６】同集塵容器のダストボックス本体の斜視図
【図７】同集塵容器のフイルターユニットの斜視図
【図８】同集塵容器の裏面斜視図
【図９】同集塵容器の下面斜視図
【図１０】（ａ）同集塵容器のダストボックスハンドルの分解図（ｂ）同集塵容器の要部断面図（ｃ）図１０（ｂ）のＣ−Ｃ断面図
【図１１】同集塵容器の斜視図
【図１２】（ａ）〜（ｃ）同集塵容器の蓋体の開閉動作と、ダストボックスハンドルの昇降状態との関係を示す部分断面図
【符号の説明】
【００５５】
２０  ダストボックスハンドル
４０  ダストボックス本体
４３  粗塵室
４３ｂ  開口部
４５  遠心分離室
４７  細塵室
４７ｂ  開口部
４８  蓋体
５１  操作部
【図１】
2006061544.tif 000003
【図２】
2006061544.tif 000004
【図３】
2006061544.tif 000005
【図４】
2006061544.tif 000006
【図５】
2006061544.tif 000007
【図６】
2006061544.tif 000008
【図７】
2006061544.tif 000009
【図８】
2006061544.tif 000010
【図９】
2006061544.tif 000011
【図１０】
2006061544.tif 000012
【図１１】
2006061544.tif 000013
【図１２】
2006061544.tif 000014